(57)【要約】    【課題】  たとえ放電ランプのフィラメント断線が発生したとしても、不所望な問題を生じることのない放電ランプ点灯装置およびこれを備えた照明器具を提供する。    【解決手段】  放電ランプ点灯装置は、フィラメント電極Ｅ１、Ｅ２を備えた放電ランプＤＬと、放電ランプＤＬを付勢するとともに保護動作機能を備えた電子化点灯回路ＩＮＶと、一つのフィラメント電極Ｅ１またはＥ２の両端子間に印加される電圧を、放電ランプＤＬに封入された希ガスの放電開始電圧以下で、かつ、希ガスの電離電圧を超えた値に規制するフィラメント電圧規制手段ＦＶＳとを具備している。  フィラメント電圧規制手段ＦＶＳは、フィラメント電極Ｅ１、Ｅ２の両端子間に印加される電圧を上記放電開始電圧以上の電圧が印加されないようにクランプするか、上記放電開始電圧以上の電圧が発生しないように構成する。【選択図】    図１
2006092940.tif 000002
【特許請求の範囲】
【請求項１】
フィラメント電極を備えた放電ランプと；
放電ランプを付勢する電子化点灯回路と；
一つのフィラメント電極の両端子間に印加される電圧の最大許容値を放電ランプに封入された希ガスの放電開始電圧より低くて、かつ、上記希ガスの電離電圧を超えた値に規制するフィラメント電圧規制手段と；
を具備していることを特徴とする放電ランプ点灯装置。
【請求項２】
照明器具本体と；
照明器具本体に配設された請求項１記載の放電ランプ点灯装置と；
を具備していることを特徴とする照明器具。
【発明の詳細な説明】
【技術分野】
【０００１】
本発明は、フィラメント電極を備えた放電ランプを点灯する放電ランプ点灯装置およびこれを備えた照明器具に関する。
【背景技術】
【０００２】
蛍光ランプのような放電ランプのランプ寿命末期におけるエミッタの飛散したフィラメントは、殆どの場合、断線することになるといわれている。ところが、ランプの細管化が進むにつれて、各フィラメントを支持している支持棒間の距離も縮まっていることで、ランプが断線した場合でも断線の度合いによっては断線間がグロー放電で接続される場合が出てくる。このようになると、前述のランプ寿命末期を検出するために配設される検出手段や、フィラメント断線を検出するために配設される検出手段では検出できなくなってしまう。また、グロー放電で接続されているだけならば通常点灯と同じように点灯し、問題はない。しかし、この状態が悪い具合に進展した場合、ランプ自体の温度上昇に加えて口金部の温度が上昇することになる。特にコンパクトランプでは口金部を合成樹脂で形成しているため、熱変形温度は金属加工された口金部より低くなっている。
【０００３】
そこで、フィラメントが断線して、断線間がグロー放電を生じ、さらにナトリウムを含む支持棒またはガラスステム部がオレンジ色のナトリウム発光を起こした場合に、これを検出して、インバータ回路に保護動作をさせようとすることが提案されている（特許文献１参照。）。
【０００４】
すなわち、特許文献１においては、フィラメントおよびそれを支える支持棒とこの支持棒を固定するガラスステム部を有する放電灯と、前記放電灯に高周波電力を供給するインバータ回路とによって構成され、放電灯の支持棒またはガラスステム部はナトリウムを含む放電灯点灯装置において、フィラメントの断線後、ナトリウムを含む支持棒またはガラスステム部がオレンジ色のナトリウム発光を起こしたことを検出する手段を設けて、ナトリウム発光検出時にはインバータ回路を発振停止あるいは間欠発振もしくは出力低下させる保護手段を設けている。
【０００５】
したがって、特許文献１によれば、細管の放電ランプであってもフィラメント断線の検出が容易になるという利点がある。
【０００６】
また、フィラメント断線に伴うグロー放電による問題を対策するために、フィラメント電極に印加される電圧を放電ガスの電離電圧以下に規制することにより、たとえフィラメント断線が生じても、グロー放電が発生しないようにした案も提案されている(特許文献２参照。)。
【特許文献１】特開２００１−１８５３８７号公報
【特許文献２】特開２００２−２０３６９７号公報
【発明の開示】
【発明が解決しようとする課題】
【０００７】
ところが、放電ランプの電極近傍にオレンジ色のナトリウム発光が生じた状態は、異常状態が進展してガラスステム部の溶融や口金部の発煙、発火といった非常事態になる直前であり、この段階においてフィラメント断線を検出するのは必ずしも好ましくない。したがって、特許文献１の手段は、問題がある。
【０００８】
一方、特許文献２の手段の場合、蛍光ランプに一般に封入されているアルゴンの場合、その電離電圧が１５〜１８Ｖ程度であるため、コンデンサ予熱回路による始動の際にフィラメント電極に印加される予熱電圧との区別がつきにくくなり、正確で、しかも信頼性の高い回路動作を得ようとすると、回路構成が複雑になってしまい、コスアップを伴なうという問題がある。
【０００９】
本発明は、たとえ放電ランプのフィラメント断線が発生したとしても、不所望な問題を生じることのない放電ランプ点灯装置およびこれを備えた照明器具を提供することを目的とする。
【００１０】
さらに詳述すれば、本発明は、フィラメント電極に断線を生じたとしても、その断線部にグロー放電が発生しないとともに始動時のフィラメント予熱を良好に行えるように構成した放電ランプ点灯装置およびこれを備えた照明器具を提供することを具体的な目的とする。
【課題を解決するための手段】
【００１１】
請求項１に係る発明の放電ランプ点灯装置は、フィラメント電極を備えた放電ランプと；放電ランプを付勢する電子化点灯回路と；一つのフィラメント電極の両端子間に印加される電圧の最大許容値を放電ランプに封入された希ガスの放電開始電圧より低くて、かつ、上記希ガスの電離電圧を超えた値に規制するフィラメント電圧規制手段と；を具備していることを特徴としている。
【００１２】
本発明および以下の各発明において、特に指定しない限り用語の定義および技術的意味は次による。
【００１３】
〔放電ランプについて〕    放電ランプは、内部に封装されたフィラメント電極を備えていて、例えば蛍光ランプのような低圧放電を行うタイプのものが用いられる。フィラメント電極は、少なくともフィラメントおよび電子放射性物質を有しているが、一般的にはフィラメント電極を張架するために一対のサポートピンが付加されている。
【００１４】
一対のサポートピンは、それらの先端部でフィラメントの両端部を継線して支持し、また基端部がバルブのステム部から離間して起立している。なお、サポートピンの基端は、ステム部を気密に貫通するジュメットワイヤなどの封着金属を介して外部導入線と接続している。
【００１５】
フィラメントは、タングステンを主体とする耐火性金属製の二重コイルやトリプルコイルなどからなり、放電空間内に配置される。電子放射性物質は、エミッタとも称され、例えばアルカリ金属酸化物などからなり、フィラメントに被着している。なお、電子放射性物質は、放電ランプの寿命の進展に伴って徐々に消耗していく。
【００１６】
放電ランプが蛍光ランプからなる場合、上記の構成に加えて透光性気密容器、放電媒体、蛍光体層および口金などの部材を含んでいるのが一般的である。透光性気密容器は、放電ランプの形式および定格消費電力により既知の各種の形状、管径および長さなどに設定することが許容される。しかし、コンパクト形蛍光ランプや高周波点灯専用形蛍光ランプといった細管の透光性気密容器を用いる放電ランプにおいては、フィラメント長が小さくなるので、一対のサポートピン間の間隔も狭くなるため、フィラメント断線の際の影響が大きくなる。したがって、本発明は、コンパクト形蛍光ランプや高周波点灯専用形蛍光ランプといった細管の透光性気密容器を用いる放電ランプに対して効果的である。
【００１７】
放電媒体は、水銀およびアルゴン（Ａｒ）などの希ガスからなるのが一般的であるが、例えばキセノンのみとすることができる。水銀は、純水銀やアマルガムなど形態として封入することができる。放電媒体は、放電時に紫外光を放射する。
【００１８】
蛍光体層は、放電ランプの気密容器の内面側に形成され、所望の発光を行わせるために、既知の紫外線励起形の各種蛍光体を主体として構成されている。放電ランプが点灯して放電媒体が放電すると、紫外光が放射し、この紫外光が蛍光体層中の蛍光体を励起させるので、蛍光体層が可視光など所望の発光を行い照明に寄与する。
【００１９】
口金は、放電ランプをランプソケットに接続して点灯回路から給電したり照明器具などに対して所定の位置に支持したりするために機能するための部材であり、放電ランプの形式および消費電力などに応じて所要の形式のものを装着することができる。例えば、放電ランプの一端側に装着される片口金構造、放電ランプの両端側に装着される両口金構造などを採用することができる。
【００２０】
また、口金本体の材質としては、プラスチックスだけでなく、所望により金属などを主体として構成することもできる。
【００２１】
〔電子化点灯回路について〕    電子化点灯回路は、放電ランプに好ましくは高周波の交流電圧を印加して点灯する回路手段であり、交流電圧発生回路および限流手段を備えている。なお、蛍光ランプのような放電ランプの場合には、１０ｋＨｚ以上の高周波点灯することによって発光効率が向上する。したがって、放電ランプを高周波点灯する際の周波数は１０ｋＨｚ以上が好ましい。
【００２２】
交流電圧発生回路は、商用交流電源などの低周波交流を所望周波数の交流電圧に変換する回路手段であり、インバータなどの直流−交流間変換回路を主体として構成することができる。この場合、直流−交流間変換回路はどのような構成であってもよい。例えば、低周波交流電源を用いて高周波交流を発生させる場合、低周波交流をいったん直流に変換してから高周波交流に変換することができる。インバータを用いて交流電圧に変換する場合、インバータはどのような回路方式であってもよい。例えば、並列インバータ、ハーフブリッジインバータ、一石式インバータなどを用いることができる。また、インバータは、自励式および他励式のいずれであってもよい。
【００２３】
限流手段は、放電ランプを安定に点灯するために、電源と放電ランプとの間に直列に介在して、ランプ電流を所定値に限流する手段であり、適当なインピーダンス、例えばインダクタンスからなる。インダクタンスを限流手段とする場合、チョークコイルやトランスなどからなるインダクタを用いることができる。
【００２４】
また、交流電圧発生回路は、その内部に整流化直流電源を配設することができる。なお、交流電圧発生回路に対する電源が交流および直流のいずれであっても、所望により例えば昇圧チョッパなどの直流電圧変換回路部を配設して、インバータなどの交流電圧発生回路に対する直流入力電圧を所望の値に変換したり、調光のためにインバータの入力電圧を変化させたりすることができる。
【００２５】
さらに、電子化点灯回路には、放電ランプの始動に際してフィラメント電極を予熱するための回路手段が付設される。フィラメント電極予熱回路は、一般に回路構成が簡単であるためにコンデンサ予熱回路方式が多用されている。本発明においては、後述するフィラメント電圧規制手段を具備しているので、放電ランプの動作中、例えば始動時に封入されている希ガスの放電開始電圧以上の電圧が印加され得る回路構成を備えた電子化点灯回路を用いることができる。コンデンサ予熱回路方式の場合、始動時に、フィラメント電極に希ガスの放電開始電圧を超える電圧が印加され得るので、本発明によれば、コンデンサ予熱回路方式を採用することができる。しかし、本発明は、放電ランプの動作中にフィラメント電極に希ガスの放電開始電圧を超える電圧が印加され得る構成の他の電子化点灯回路にも適用することができる。
【００２６】
〔フィラメント電圧規制手段について〕    フィラメント電圧規制手段は、一つのフィラメント電極の両端子間に印加される電圧の最大許容値を放電ランプに封入された希ガスの放電開始電圧より低くて、かつ、上記希ガスの電離電圧を超えた値に規制する手段である。すなわち、一つのフィラメント電極の両端子間に上記放電開始電圧以上の電圧が印加されないようにクランプしたり、上記放電開始電圧以上の電圧が発生しないように構成したりすることにより、フィラメント電圧規制手段実現することができる。ただし、本発明においては、上記希ガスの電離電圧以上の値を有する電圧が印加されるのを許容しなければならない。前者は、例えばフィラメント電極と並列に適当なクランプ回路を接続することにより構成することができる。また、後者は、例えばフィラメント電極の電圧を監視して、当該電圧が所定値を超えないように交流電圧発生回路を帰還制御することにより構成することができる。なお、フィラメント電圧の最小値は、放電ランプＤＬを作動させるための設計条件に応じて決定されるべきもので、希ガスの電離電圧以下であってもよい。
【００２７】
〔本発明の作用について〕    放電ランプの点灯中にフィラメントが断線した際に発生する放電は、放電ランプ中に封入されているアルゴン（Ａｒ）などの希ガスのグロー放電である。希ガスがアルゴンの場合、グロー放電の放電開始電圧は、種々の条件により異なるが、約１００〜２００Ｖの間である。そして、いったん放電が開始されると、約１５〜１８Ｖの電圧で放電が維持される。
【００２８】
本発明においては、一つのフィラメント電極の両端子間に印加される電圧の最大許容値を、希ガスの電離電圧よりは高くて、かつ、放電開始電圧より低い値に規制したので、たとえフィラメントが断線したとしても、フィラメント電圧が低いために放電開始に至らないので、グロー放電が発生し得ない。したがって、グロー放電やその進行によって生じるステム溶融によるフィラメント近傍部位の過熱を防止することができる。しかし、希ガスの電離電圧を超える値を有する電圧の印加を許容するから、始動時のフィラメント加熱の際に最適な値の電圧をフィラメント電極に印加することができるので、良好な始動特性を付与することができる。
【００２９】
請求項２に係る発明の照明器具は、照明器具本体と；照明器具本体に配設された請求項１記載の放電ランプ点灯装置と；を具備していることを特徴としている。
【００３０】
本発明において、照明器具は、その用途および構造を問わない。しかし、間引き点灯が可能なように構成した家庭用の照明器具において、本発明は特に効果的である。照明器具本体は、照明器具から放電ランプ点灯装置を除いた残余の部分を意味する。放電ランプ点灯装置は、その一部または全体が照明器具本体に装着されているばかりでなく、照明器具本体から離間して配設されていてもよい。
【発明の効果】
【００３１】
請求項１の発明によれば、一つのフィラメント電極の一対の端子間に印加される電圧の最大許容値を放電ランプに封入された希ガスの放電開始電圧より低くて、かつ、希ガスの電離電圧を超えた値に規制したことにより、たとえフィラメント断線を生じたとしても、一つのフィラメント電極の両端子間にグロー放電が発生し得ないので、グロー放電やその進行によって生じるステム溶融によるフィラメント近傍部位の過熱を防止するとともに、始動時に所要の値の始動電圧をフィラメント電極に印加することができるので、良好な始動特性を有する放電ランプ点灯装置を提供することができる。
【００３２】
請求項２の発明によれば、請求項１の効果を有する照明器具を提供することができる。
【発明を実施するための最良の形態】
【００３３】
以下、図面を参照して本発明の実施の形態を説明する。
【００３４】
図１は、本発明の放電ランプ点灯装置を実施するための第１の形態を示す回路図である。図において、ＡＣは低周波交流電源、ＥＯＣは電子化点灯回路、ＤＬは放電ランプ、ＦＶＳはフィラメント電圧規制手段である。
【００３５】
低周波交流電源ＡＣは、例えば商用交流電源からなる。
【００３６】
電子化点灯回路ＥＯＣは、交流電圧発生回路ＩＮＶおよび負荷回路ＬＣからなる。交流電圧発生回路ＩＮＶは、ノイズフィルタＮＦ、整流化直流電源ＲＤＣおよびインバータ本体ＨＢＩを主体として構成されている。
【００３７】
ノイズフィルタＮＦは、低周波交流電源ＡＣと整流化直流電源ＲＤＣとの間に介在して高周波ノイズを低周波交流電源側へ流出するのを阻止する。
【００３８】
整流化直流電源ＲＤＣは、全波整流回路ＦＢＲおよび平滑コンデンサＣ１からなり、低周波交流電圧を整流して、平滑化された直流電圧を得る。
【００３９】
インバータ本体ＨＢＩは、ハーフブリッジ形インバータであり、整流化直流電源ＲＤＣに対して直列接続した一対のスイッチング素子Ｑ１、Ｑ２およびその駆動回路ＤＣからなる。一対のスイッチング素子Ｑ１、Ｑ２は、直列回路を構成し、その両端が整流化直流電源ＲＤＣの両極間に接続している。そして、スイッチング素子Ｑ２の両端間に矩形波の高周波交流出力が得られる。
【００４０】
負荷回路ＬＣは、直流カットコンデンサＣ２、限流インダクタＬ１およびコンデンサＣ３の直列回路からなり、その両端が交流電圧発生回路ＩＮＶの出力端間に接続している。限流インダクタＬ１とコンデンサＣ３は、直列共振回路を形成する。
【００４１】
放電ランプＤＬは、蛍光ランプからなり、一対のフィラメント電極Ｅ１、Ｅ２を備えている。一対のフィラメント電極Ｅ１、Ｅ２がコンデンサＣ３の両端において負荷回路ＬＣに直列に挿入されることにより、放電ランプＤＬは、コンデンサＣ３に並列接続している。したがって、コンデンサＣ３は、コンデンサ予熱回路を形成している。
【００４２】
フィラメント電圧規制手段ＦＶＳは、例えば所要数のツェナーダイオードを逆直列接続してなり、これをフィラメント電極Ｅ１、Ｅ２にそれぞれ並列接続したものである。そして、フィラメント電圧規制手段ＦＶＳのクランプ電圧、換言すればツェナー電圧は、一つのフィラメント電極の両端子間に印加される電圧を放電ランプＤＬに封入されている希ガスの放電開始電圧より低くて、かつ、電離電圧を超えた値に設定されている。
【００４３】
次に、回路動作について説明する。すなわち、電子化点灯回路から出力される高周波電圧が負荷回路ＬＣに印加されると、インダクタＬ１およびコンデンサＣ３の直列共振によりコンデンサＣ３の端子電圧が上昇するので、それぞれのフィラメント電極Ｅ１、Ｅ２の両端に印加される電圧が希ガスの電離電圧を超えていて、かつ、希ガスの放電開始電圧以上になろうとしても、フィラメント電圧規制手段ＦＶＳが上記クランプ電圧にクランプするので、フィラメント電極Ｅ１、Ｅ２のそれぞれの両端子間には、れクランプ電圧以下の電圧に規制された電圧が印加する。
【００４４】
したがって、いずれかのフィラメント電極にたとえフィラメント断線が生じたとしても、当該フィラメント電極には放電開始電圧以下の電圧しか印加されていないので、グロー放電が発生しなくなる。
【００４５】
また、始動時のフィラメント予熱の際に一つのフィラメント電極の両端子間に印加される電圧を希ガスの電離電圧より高く設定できるので、最適なフィラメント予熱を行うことができる。したがって、放電ランプＤＬに所望の始動を行わせることができる。
【００４６】
図２は、本発明の放電ランプ点灯装置を実施するための第２の形態を示す回路図である。図において、図１と同一部分については同一符号を付して説明は省略する。本形態は、フィラメント電圧規制手段ＦＶＳが過電圧監視回路からなり、その出力端が交流電圧発生回路ＩＮＶに制御入力するように構成されている。
【００４７】
そうして、フィラメント電圧規制手段ＦＶＳが各フィラメント電極Ｅ１、Ｅ２のそれぞれの両端子間に印加される電圧を監視していて、放電開始電圧以上の過電圧を検出したときには、高周波発生回路ＩＮＶを制御して、一つのフィラメント電極Ｅ１またはＥ２の両端子間に印加される電圧が放電開始電圧以下になるように、高周波発生回路ＩＮＶの出力電圧を制御する。これにより、フィラメント電極Ｅ１、Ｅ２にはグロー放電が発生しなくなる。なお、電子化点灯回路ＥＯＣおよび負荷回路ＬＣは、始動時に印加フィラメント電極Ｅ１、Ｅ２に希ガスの電離電圧以上の電圧が印加されるように構成されている。
【００４８】
図３は、本発明の放電ランプ点灯装置を実施するための第３の形態を示す回路図である。図において、図１と同一部分については同一符号を付して説明は省略する。本形態は、フィラメント電極Ｅ１、Ｅ２の両端に印加される電圧をクランプする形式のフィラメント電圧規制手段ＦＶＳにおける他の構成を示している。
【００４９】
すなわち、フィラメント電圧規制手段ＦＶＳは、複数の抵抗器Ｒ１、Ｒ２、Ｒ３、Ｒ４の直列接続回路の両端を交流電圧発生回路ＩＮＶの出力端間に接続し、抵抗器Ｒ２の両端をフィラメント電極Ｅ１に並列接続し、また抵抗器Ｒ４の両端をフィラメント電極Ｅ２に並列接続してなる。
【００５０】
そうして、交流電圧発生回路ＩＮＶの出力電圧は、フィラメント電圧規制手段ＦＶＳを構成する複数の抵抗器Ｒ１、Ｒ２、Ｒ３、Ｒ４の直列接続回路により分割される。そのため、フィラメント電極Ｅ１の両端に印加される電圧は、抵抗器Ｒ２に両端間に得られる分圧電圧にクランプされる。同様にフィラメント電極Ｅ２の両端に印加される電圧は、抵抗器Ｒ４に両端間に得られる分圧電圧にクランプされる。したがって、抵抗器Ｒ２、Ｒ４の抵抗値を抵抗器Ｒ１、Ｒ３との分圧比および交流電圧発生回路ＩＮＶの出力電圧を適切に設定することによって、フィラメント電極Ｅ１、Ｅ２の両端子間に印加される電圧の最大許容値を放電開始電圧以下で、かつ、希ガスの電離電圧を超えた値に規制することができる。
【００５１】
図４は、本発明の照明器具を実施するための一形態としての家庭用天井取付形照明器具を示す概念的断面図である。図において、１１はシャーシ、１２は反射板、１３Ａ、１３Ｂは環形蛍光ランプ、１４はセード、１５は電子化点灯回路、１６は引掛シーリングアダプタである。
【００５２】
シャーシ１１は、金属板をプレス成形して形成され、中央に貫通孔が形成され、周縁に
起立縁１１ａ（図においては、下向きになっている。）が形成されている。
【００５３】
反射板１２は、白色合成樹脂を成形して形成され、シャーシ１１の下面に配設されている。
【００５４】
環形蛍光ランプ１３Ａは、管径１６．５ｍｍ、環外径３７３ｍｍ、環内径３４０ｍｍ、定格ランプ電力３４Ｗ／４８Ｗである。環形蛍光ランプ１３Ｂは、管径１６．５ｍｍ、環外径２２５ｍｍ、環内径１９２ｍｍ、定格ランプ電力２０Ｗ／２８Ｗである。これらの環形蛍光ランプ１３Ａ、１３Ｂは、図示しない単一のランプホルダによって一体的に反射板の所定の場所に着脱されるとともに、同時に電子化点灯回路１５に対する所要の接続が行われるように構成されている。
【００５５】
セード１４は、乳白アクリル樹脂などを薄いドーム状に成形して、シャーシ１１、反射板１２および環形蛍光ランプ１３Ａ、１３Ｂなどを覆い、開口縁１４ａがシャーシ１１の起立縁１１ａの内側に嵌合した状態で着脱可能に固定されている。
電子化点灯回路１５は、本発明の放電ランプ点灯装置を実施した回路構成であり、環形蛍光ランプ１３Ａ、１３Ｂを付勢して点灯し、シャーシ１１と反射板１２との間に形成された空間内に配設されている。なお、電子化点灯回路１５は、図において２つに分割されているように見えるが、一体化構成のものである。
【００５６】
引掛シーリングアダプタ１６は、交流電源を天井から受電してシーリングライトに電気エネルギーを供給するとともに、シーリングライトを天井に取り付けるために機能する。そして、引掛シーリングキャップ機構１６ａと、図示を省略しているが、電気コネクタおよび引掛爪とを備えている。
【００５７】
引掛シーリングキャップ機構１６ａは、天井に配設された埋込形または露出形の引掛シーリングボディ（図示しない。）に着脱自在に引掛係止することにより、引掛シーリングボディに電気的および機械的に接続される。
【００５８】
電気コネクタは、引掛シーリングキャップ機構に絶縁電線を介して接続していて、反射板１２に配設されている受電プラグに接続することにより、シーリングライトへの給電路が形成される。
【００５９】
引掛爪は、引掛シーリングアダプタ１６の側面から進退自在に突出していて、反射板１２の中央に形成された円筒孔１２ａの側面に開口する係止孔に係止する。
【図面の簡単な説明】
【００６０】
【図１】本発明の放電ランプ点灯装置を実施するための第１の形態を示す回路図
【図２】本発明の放電ランプ点灯装置を実施するための第２の形態を示す回路図
【図３】本発明の放電ランプ点灯装置を実施するための第３の形態を示す回路図
【図４】本発明の照明器具を実施するための一形態としての家庭用天井取付形照明器具を示す概念的断面図
【符号の説明】
【００６１】
ＤＬ…放電ランプ、ＥＯＣ…電子化点灯回路、ＦＢＲ…全波整流回路、ＦＶＳ…フィラメント電圧規制手段、ＨＢＩ…インバータ本体、ＩＮＶ…高周波発生回路、ＬＣ…負荷回路、ＮＦ…ノイズフィルタ、ＲＤＣ…整流化直流電源
【図１】
2006092940.tif 000003
【図２】
2006092940.tif 000004
【図３】
2006092940.tif 000005
【図４】
2006092940.tif 000006